(57)【要約】【課題】  来訪者への応答内容を在宅している在宅者の状況に応じた応答内容とすることができ、さらに、来訪者があることをより確実に居住者に知らせることができるインターホン装置を提供する。【解決手段】  インターホン屋外機３９に設けられた押しボタン５４が押下されたとき、制御手段１７は、対象の居住者が存在する部屋２８を、居住者識別手段１１１の識別結果に基づいて特定し、特定した部屋の宅内照明器具９０と、宅内照明制御部８９によって通信を試行する。特定した部屋の宅内照明器具９０と通信することができたとき、対象の居住者が存在する部屋２８の宅内照明器具９０を、友人知人関係来訪者応答情報２０ｂに含まれる照明コントロールパターン情報２３のうち、来訪者に対応した照明コントロールパターンの照明態様で制御する。【選択図】      図１
2012085073.tif 000002
【特許請求の範囲】
【請求項１】
部屋を含む住居の内部における人物の存在を検知する住居内検知手段と、
前記住居を来訪する来訪者に対する、互いに異なる複数の応答内容を表す複数の応答情報を記憶する応答情報記憶手段と、
来訪者に対し前記複数の応答情報のうちの１または複数の応答情報が表す１または複数の応答内容を前記住居の外部に出力する応答内容出力手段と、
来訪者が来訪したことを検知する来訪者検知手段と、
部屋を照明する照明手段と、
照明手段による照明態様を制御する照明制御手段と、
制御手段であって、前記来訪者検知手段によって来訪者が来訪したことが検知されたとき、
前記住居内検知手段による検知結果に基づいて、前記応答情報記憶手段に記憶される複数の応答情報から１または複数の応答情報を選択し、選択された応答情報が表す応答内容を前記応答内容出力手段に出力させ、
照明手段を予め定める照明態様で照明するように前記照明制御手段に制御させる制御手段とを含むことを特徴とするインターホン装置。
【請求項２】
前記住居内検知手段は、前記住居の内部において存在が検知された人物が応対可能な場所にいるか否かを判定し、
前記制御手段は、前記住居内検知手段によって、前記住居の内部において存在が検知された人物が応対可能な場所にいると判定されたとき、前記部屋特定手段によって特定された部屋の照明手段を予め定める照明態様で照明するように前記照明制御手段に制御させることを特徴とする請求項１に記載のインターホン装置。
【請求項３】
前記住居は、複数の部屋を含み、
前記照明手段は、部屋ごとに設けられ、
前記住居内検知手段によって存在が検知された人物が存在する部屋を特定する部屋特定手段をさらに含み、
前記制御手段は、前記部屋特定手段によって特定された部屋の照明手段を予め定める照明態様で照明するように前記照明制御手段に制御させることを特徴とする請求項１または２に記載のインターホン装置。
【請求項４】
前記来訪者を撮像し、撮像した来訪者の画像を表す来訪者画像を取得する来訪者撮像手段と、
前記来訪者撮像手段によって取得された来訪者画像を解析することによって、来訪者を識別する来訪者識別手段と、
各来訪者に関連付けられる居住者を来訪者ごとに表わす来訪者居住者関連情報を記憶する関連情報記憶手段とをさらに含み、
前記制御手段は、前記来訪者識別手段によって識別された来訪者に関連する居住者を、前記関連情報記憶手段に記憶される来訪者居住者関連情報に基づいて特定し、特定した居住者のうち、前記住居内検知手段によって存在が検知された居住者が存在する部屋の照明手段を予め定める照明態様で照明するように前記照明制御手段に制御させることを特徴とする請求項３に記載のインターホン装置。
【請求項５】
太陽光による発電を行う発電部をさらに含み、
前記予め定める照明態様は、発電部による発電量に応じた照明態様であることを特徴とする請求項１〜４のいずれか１つに記載のインターホン装置。
【請求項６】
前記予め定める照明態様は、照明の点灯時の明るさを変化させた照明態様、照明の点灯時の色合いを変化させた照明態様、および照明の点滅時の点滅周期を変化させた照明態様のうちの少なくとも１つの照明態様またはこれらの照明態様を組み合わせた照明態様であることを特徴とする請求項１〜５のいずれか１つに記載のインターホン装置。
【発明の詳細な説明】
【技術分野】
【０００１】
本発明は、来訪者に自動または手動によって応答するインターホン装置に関する。
【背景技術】
【０００２】
第１の従来技術に係るインターホン装置として、居住者のうち在宅している在宅者を列挙した情報を作成し、在宅者の情報に基づいて、複数のモードが設定されるインターホン装置が知られる。このインターホン装置は、在宅者が来訪者に応答するときに操作する操作ボタンを含んで構成される（たとえば特許文献１参照）。
【０００３】
このインターホン装置において各居住者には、管理者、要保護者、子供などの属性情報が定められ、居住者のうち管理者として定められる居住者が在宅していないときには、要保護者モードまたはチャイルドモードが設定される。要保護者モードでは、ボイスチェンジで加工された音声で口頭によって応答することが可能であり、チャイルドモードでは、操作ボタンが押されても、来訪者への応答を強制的に阻止する設定とすることが可能である。
【０００４】
第２の従来技術に係るインターホン装置として、カメラを有する玄関子機と、泥棒など好ましくない顔データを記憶する顔データ記憶部と、顔データの比較を行う比較部と、比較部による比較結果に応じて鳴動可能な報知部とを含むインターホンシステムが知られている。このインターホンシステムにおいて比較部は、カメラで撮像して得られた顔データと顔データ記憶部に記憶された顔データとを比較する。比較部による比較結果によって、来訪者の顔を撮像して得られた顔データが好ましくない顔データと一致することが表される場合に、報知部は、来訪者の顔データが好ましくない顔データであることを報知部による報知音の鳴動によって報知する（たとえば特許文献２参照）。
【先行技術文献】
【特許文献】
【０００５】
【特許文献１】特開２００７−１５０６７０号公報
【特許文献２】特開２００７−２０８５３３号公報
【発明の概要】
【発明が解決しようとする課題】
【０００６】
第１の従来技術では、複数の属性情報に定められる居住者のうち、いずれの属性情報に定められる居住者が在宅するかという状況に応じて来訪者への応答内容を変化させることはできるけれども、来訪者への応答内容を、在宅している在宅者の状況に応じた応答内容とすることはできないという問題点がある。
【０００７】
第２の従来技術では、来訪者を撮像することによって得られる顔データに基づいて、来訪者を識別し、識別の結果に基づいて居住者への報知を制御することはできるけれども、第２の従来技術に係るインターホンシステムでも、来訪者への応答内容を、在宅している在宅者の状況に応じた応答内容とすることはできないという問題点がある。
【０００８】
本発明の目的は、来訪者への応答内容を在宅している在宅者の状況に応じた応答内容とすることができ、さらに、来訪者があることをより確実に居住者に知らせることができるインターホン装置を提供することである。
【課題を解決するための手段】
【０００９】
本発明は、部屋を含む住居の内部における人物の存在を検知する住居内検知手段と、
前記住居を来訪する来訪者に対する、互いに異なる複数の応答内容を表す複数の応答情報を記憶する応答情報記憶手段と、
来訪者に対し前記複数の応答情報のうちの１または複数の応答情報が表す１または複数の応答内容を前記住居の外部に出力する応答内容出力手段と、
来訪者が来訪したことを検知する来訪者検知手段と、
部屋を照明する照明手段と、
照明手段による照明態様を制御する照明制御手段と、
制御手段であって、前記来訪者検知手段によって来訪者が来訪したことが検知されたとき、
前記住居内検知手段による検知結果に基づいて、前記応答情報記憶手段に記憶される複数の応答情報から１または複数の応答情報を選択し、選択された応答情報が表す応答内容を前記応答内容出力手段に出力させ、
照明手段を予め定める照明態様で照明するように前記照明制御手段に制御させる制御手段とを含むことを特徴とするインターホン装置である。
【００１０】
また本発明は、前記住居内検知手段は、前記住居の内部において存在が検知された人物が応対可能な場所にいるか否かを判定し、
前記制御手段は、前記住居内検知手段によって、前記住居の内部において存在が検知された人物が応対可能な場所にいると判定されたとき、前記部屋特定手段によって特定された部屋の照明手段を予め定める照明態様で照明するように前記照明制御手段に制御させることを特徴とする。
【００１１】
また本発明は、前記住居は、複数の部屋を含み、
前記照明手段は、部屋ごとに設けられ、
前記住居内検知手段によって存在が検知された人物が存在する部屋を特定する部屋特定手段をさらに含み、
前記制御手段は、前記部屋特定手段によって特定された部屋の照明手段を予め定める照明態様で照明するように前記照明制御手段に制御させることを特徴とする。
【００１２】
また本発明は、前記来訪者を撮像し、撮像した来訪者の画像を表す来訪者画像を取得する来訪者撮像手段と、
前記来訪者撮像手段によって取得された来訪者画像を解析することによって、来訪者を識別する来訪者識別手段と、
各来訪者に関連付けられる居住者を来訪者ごとに表わす来訪者居住者関連情報を記憶する関連情報記憶手段とをさらに含み、
前記制御手段は、前記来訪者識別手段によって識別された来訪者に関連する居住者を、前記関連情報記憶手段に記憶される来訪者居住者関連情報に基づいて特定し、特定した居住者のうち、前記住居内検知手段によって存在が検知された居住者が存在する部屋の照明手段を予め定める照明態様で照明するように前記照明制御手段に制御させることを特徴とする。
【００１３】
また本発明は、太陽光による発電を行う発電部をさらに含み、
前記予め定める照明態様は、発電部による発電量に応じた照明態様であることを特徴とする。
【００１４】
また本発明は、前記予め定める照明態様は、照明の点灯時の明るさを変化させた照明態様、照明の点灯時の色合いを変化させた照明態様、および照明の点滅時の点滅周期を変化させた照明態様のうちの少なくとも１つの照明態様またはこれらの照明態様を組み合わせた照明態様であることを特徴とする。
【発明の効果】
【００１５】
本発明によれば、住居内検知手段は、部屋を含む住居の内部における人物の存在を検知する。応答情報記憶手段は、前記住居を来訪する来訪者に対する、互いに異なる複数の応答内容を表す複数の応答情報を記憶する。応答内容出力手段は、来訪者に対し前記複数の応答情報のうちの１または複数の応答情報が表す１または複数の応答内容を前記住居の外部に出力する。来訪者検知手段は、来訪者が来訪したことを検知する。照明手段は、部屋を照明する。照明制御手段は、照明手段による照明態様を制御する。制御手段は、前記来訪者検知手段によって来訪者が来訪したことが検知されたとき、前記住居内検知手段による検知結果に基づいて、前記応答情報記憶手段に記憶される複数の応答情報から１または複数の応答情報を選択し、選択された応答情報が表す応答内容を前記応答内容出力手段に出力させる。そして、照明手段を予め定める照明態様で照明するように前記照明制御手段に制御させる。したがって、来訪者への応答内容を在宅している在宅者の状況に応じた応答内容とすることができ、さらに、来訪者があることをより確実に居住者に知らせることができる。
【００１６】
また本発明によれば、前記住居内検知手段は、前記住居の内部において存在が検知された人物が応対可能な場所にいるか否かを判定する。そして、前記制御手段は、前記住居内検知手段によって、前記住居の内部において存在が検知された人物が応対可能な場所にいると判定されたとき、前記部屋特定手段によって特定された部屋の照明手段を予め定める照明態様で照明するように前記照明制御手段に制御させる。したがって、住居の内部において存在が検知された人物が応対可能な場所にいる場合にのみ、来訪者があることをより確実に居住者に知らせることができる。
【００１７】
また本発明によれば、前記住居は、複数の部屋を含む。前記照明手段は、部屋ごとに設けられる。部屋特定手段は、前記住居内検知手段によって存在が検知された人物が存在する部屋を特定する。そして、前記制御手段は、前記部屋特定手段によって特定された部屋の照明手段を予め定める照明態様で照明するように前記照明制御手段に制御させる。したがって、人物が存在する部屋の照明手段を予め定める照明態様で照明することができ、より確実に居住者に知らせることができる。
【００１８】
また本発明によれば、来訪者撮像手段は、前記来訪者を撮像し、撮像した来訪者の画像を表す来訪者画像を取得する。来訪者識別手段は、前記来訪者撮像手段によって取得された来訪者画像を解析することによって、来訪者を識別する。関連情報記憶手段は、各来訪者に関連付けられる居住者を来訪者ごとに表わす来訪者居住者関連情報を記憶する。そして、前記制御手段は、前記来訪者識別手段によって識別された来訪者に関連する居住者を、前記関連情報記憶手段に記憶される来訪者居住者関連情報に基づいて特定し、特定した居住者のうち、前記住居内検知手段によって存在が検知された居住者が存在する部屋の照明手段を予め定める照明態様で照明するように前記照明制御手段に制御させる。したがって、来訪者に関連付けられた居住者にのみ、来訪者があることをより確実に知らせることができる。
【００１９】
また本発明によれば、発電部は、太陽光による発電を行う。そして、前記予め定める照明態様は、発電部による発電量に応じた照明態様である。したがって、住居の外部の明るさに応じて照明態様を変化させることができる。
【００２０】
また本発明によれば、前記予め定める照明態様は、照明の点灯時の明るさを変化させた照明態様、照明の点灯時の色合いを変化させた照明態様、および照明の点滅時の点滅周期を変化させた照明態様のうちの少なくとも１つの照明態様またはこれらの照明態様を組み合わせた照明態様である。したがって、より分かり易い照明態様を用いることができる。
【図面の簡単な説明】
【００２１】
【図１】本発明の一実施形態であるインターホン装置１０の構成を表すブロック図である。
【図２】住居内検知手段１１を設置した住居１８の平面図である。
【図３】インターホン屋外機３９の構成を表すブロック図である。
【図４】表示部８６の表示画面の一例を表す図である。
【図５】記憶手段７９に記憶される業者関係来訪者応答情報２０ａを示す図である。
【図６】記憶手段７９に記憶される友人知人関係来訪者応答情報２０ｂを示す図である。
【図７】居住者が１人である場合の来訪者１２への応答方法の工程を表すフローチャートである。
【図８】応答情報２１を記憶手段７９に入力するときに、表示部８６に表示される入力画面の一例を表す図である。
【図９】過去に記憶手段７９に記憶された来訪者情報６３を表示するときの、表示部８６の表示画面の一例を表す図である。
【図１０】来訪履歴情報１１０の一例を表す図である。
【図１１】表示部８６が来訪履歴情報１１０を表示するときの表示画面の一例を表す図である。
【図１２】居住者が１人とは限らない場合の来訪者１２への応答方法の工程を表すフローチャートである。
【図１３】来訪者１２への応答方法において、来訪者１２に関して行う工程を表すフローチャートである。
【図１４】宅内照明器具９０の設置位置の一例を示す図である。
【図１５】友人知人関係の対応動作Ｂ処理後の報知強化処理の処理手順を示すフローチャートである。
【図１６】業者関係の業者用対応動作Ｂ処理後の報知強化処理の処理手順を示すフローチャートである。
【発明を実施するための形態】
【００２２】
以下、図面を参照しながら、本発明を実施するための複数の形態について説明する。以下の説明においては、各形態に先行する形態ですでに説明している事項に対応している部分には同一の参照符を付し、重複する説明を略す場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。またそれぞれの実施形態は、本発明に係る技術を具体化するために例示するものであり、本発明の技術的範囲を限定するものではない。本発明に係る技術内容は、特許請求の範囲に記載された技術的範囲内において、種々の変更を加えることが可能である。以下の説明は、インターホン装置１０およびこれを用いる来訪者１２への応答方法の説明を含む。
【００２３】
図１は、本発明の一実施形態であるインターホン装置１０の構成を表すブロック図である。図２は、住居内検知手段１１を設置した住居１８の平面図である。インターホン装置１０は、来訪者１２に対して自動または手動によって応答する装置である。住居１８は、一戸建てまたはマンションの居住空間などとして用いられる。居住者は、住居１８に居住する人物である。在宅者は、住居１８に在宅している居住者である。
【００２４】
インターホン装置１０は、住居内検知手段１１と、応答情報記憶部１３と、出力手段１６と、制御手段１７とを含んで構成される。住居内検知手段１１は、住居１８の内部における人物の存在を検知する。応答情報記憶手段である応答情報記憶部１３は、住居１８を来訪する来訪者１２に対する、互いに異なる複数の応答内容を表す複数の応答情報２１を記憶する。応答内容出力手段である出力手段１６は、来訪者１２に対し複数の応答情報２１のうちの１または複数の応答情報２１が表す１または複数の応答内容を住居１８の外部に出力する。制御手段１７は、住居内検知手段１１による検知結果に基づいて、応答情報記憶部１３に記憶される複数の応答情報２１から、１または複数の応答情報２１を選択し、選択された応答情報２１が表す応答内容を出力手段１６に出力させる。前記制御手段１７は、中央演算処理装置（Central Processing Unit；略称「ＣＰＵ」）を含んで実現される。
【００２５】
住居内検知手段１１が取得する予め定める種類の情報は、画像情報を含む。住居内検知手段１１は、１または複数の屋内撮像部２２と、人物存在判定部２４とを有する。１または複数の屋内撮像部２２は、住居１８の内部の複数の位置において撮像を行い、屋内画像を取得する。人物存在判定部２４は、屋内画像を解析し、住居１８の内部の各位置において人物が撮像されているか否かを判定する。住居内検知手段１１は、浴室３６に人物が存在しているか否かを判定するとともに、便所３４に人物が存在しているか否かを判定する。
【００２６】
具体的には、住居内検知手段１１は、住居１８内における人物の存在位置または状況を検出する。住居内検知手段１１は、画像情報を取得することによって人物の存在位置を把握するけれども、これに限定するものではない。たとえば、台所の流し台３８における上水または排水の流量を測定することによって、在宅者が流し台において活動しているという状況を検出してもよいし、燃料ガスの使用量、予め定める電気製品の消費電力などを検出することによって、住居１８内における人物の存在位置および状況の少なくともいずれか一方を検出する構成とすることもできる。
【００２７】
住居１８内における人物の状況を検出する手法の具体例としては、たとえば台所であれば、コンロ、加熱用の電磁調理器具（ＩＨ）、給湯器の使用を気体の流量計、電流計などによって検出してもよい。また寝室において、夜具にかかる人物の体重、人物の温度などを検出することによって検出してもよい。また居間において、テレビジョンを視聴する人物の顔を撮像し、人物の視線がテレビジョンに向かっているという条件とテレビジョンのスイッチがオン状態であるという条件とが両立したときに、人物がテレビジョンを視聴していると判定してもよい。
【００２８】
インターホン装置１０は、来訪者撮像手段２６と、来訪者識別手段２７とをさらに含んで構成される。来訪者撮像手段２６は、来訪者１２を撮像し、来訪者画像を取得する。来訪者識別手段２７は、来訪者画像を解析することによって、来訪者１２を識別する。制御手段１７は、来訪者識別手段２７による識別結果に基づいて、出力手段１６に出力させる１または複数の応答情報２１を選択する。
【００２９】
図２に示すように、住居１８は、複数の部屋２８を有し、屋内撮像部２２は、各部屋２８に１つずつ配置される。屋内撮像部２２は、時系列に沿って変化する映像を撮像可能なカメラ３２を含んで実現される。たとえば電荷結合素子（Charge Coupled Device；略称「ＣＣＤ」）を受像部に含むカメラ３２などを含む。屋内撮像部２２は、廊下３３、便所３４および浴室３６にも、配置される。屋内撮像部２２によって撮像される画像は、人物の有無が確認できる程度の解像度であれば、足りる。たとえば便所３４および浴室３６において、特に解像度を低く設定したカメラ３２を設置する構成としてもよい。
【００３０】
各部屋２８において屋内撮像部２２は、部屋２８の中の予め定める範囲を撮像する。撮像される範囲は、必ずしも部屋２８の中のすべての領域である必要はなく、その部屋２８に人物が居るときには、大きな確率で人物を撮像できる位置の領域として定められる。各部屋２８の中央部を含む領域を、撮像範囲として定める。台所においては、流し台３８の近傍を、撮像範囲に含む。
【００３１】
人物存在判定部２４は、屋内撮像部２２が撮像することによって取得された画像の解析を行う。画像の解析手法については、人物の存在の有無が判定できれば、どのような手法であってもよい。たとえば、予め定める方向に並ぶ複数の画素における色相または濃淡を微分法によって解析して輪郭抽出を行い、抽出される輪郭の画像内での位置が時系列に沿って変化するか否かを検出し、動くものが撮像されているか否かを判定する工程を含む手法であってもよい。
【００３２】
また動くものの大きさを検出することによって、人物であるかペットであるかを判定する工程をさらに含んでいてもよい。また他の画像解析の手法としては、パターンマッチングによって人物の顔が撮像されているか否かを検出することによって、人物が撮像されているか否かを判定してもよい。
【００３３】
図３は、インターホン屋外機３９の構成を表すブロック図である。インターホン装置１０は、インターホン屋外機３９を含み、来訪者撮像手段２６は、屋外カメラ４２を含んで実現される。インターホン屋外機３９には、屋外カメラ４２と、屋外マイク４４と、屋外スピーカ４６と、屋外表示部４８とを含み、たとえば住居１８の敷地の内外を隔てる門扉の近傍または玄関５１の近傍に設置される。
【００３４】
またインターホン屋外機３９は、インターフェースとしての送受信部４７を含み、送受信部４７は、屋外カメラ４２、屋外スピーカ４６、屋外表示部４８、屋外マイク４４、および押しボタン５４とインターホン屋内機（以下「屋内機」という）６５との信号の伝送に関して、信号伝送経路の選択、切換え、信号電圧の調整、プロトコル変換などを行う。
【００３５】
来訪者撮像手段２６は、少なくとも来訪者１２が来訪したときに、インターホン屋外機３９近傍を撮像することによって、来訪者１２の映像を取得する。来訪者１２は複数であってもよいけれども、来訪者がインターホン装置１０を介して在宅者に連絡を取ろうとするときには、複数の来訪者のうちの１人がインターホン装置１０に近づくことがほとんどであるので、来訪者が１人であることを前提としても、問題はなく来訪者についての情報を取得することができる。
【００３６】
来訪者１２がインターホン屋外機３９付近に来訪したことは、たとえば出射した赤外線の反射光の有無を検出する光センサなどを用いた来訪者検出手段５２によって自動的に検出してもよいけれども、来訪者１２がインターホン屋外機３９に備えられる押しボタン５４を押すことによる信号変化に応答して、制御手段１７が来訪者の有無を判定するものとする。来訪者撮像手段２６は、屋外カメラ４２とその姿勢および稼働状態を制御する屋外カメラ制御部５６などを含み、屋外カメラ４２は、たとえばＣＣＤカメラなどによって実現される。押しボタン５４は、来訪者検知手段である。
【００３７】
屋外マイク４４は、インターホン屋外機３９近傍の音声の情報を取得する。屋外スピーカ４６は、応答情報記憶部１３に記憶された応答情報２１を出力可能であり、また住居１８に在宅している在宅者の操作によって在宅者が入力した音声を屋外において出力する。屋外表示部４８は、たとえば液晶パネルなどを含み、来訪者１２に対して画像情報を表示する。画像情報は、文字表示を含んでもよく、また時系列に沿って変化する映像情報であってもよい。
【００３８】
インターホン装置１０は、照明制御部５７と、来訪者記憶部５８とをさらに含む。インターホン屋外機３９近傍には、少なくとも来訪者１２が位置すると予測される付近を照らす照明器具６２が設置され、照明制御部５７は、照明器具６２の点灯消灯の切換えを制御する。照明器具６２は、インターホン屋外機３９の外部に設けられる構成としてもよく、またインターホン屋外機３９に含まれる構成とすることも可能である。
【００３９】
来訪者記憶部５８は、来訪者１２に関して予め定められる複数の類型を記憶する。来訪者識別手段２７は、来訪者撮像手段２６の撮像によって取得された画像を解析することによって、来訪者１２が、来訪者記憶部５８に記憶される複数の類型のうちのいずれの類型に該当するかを判別する。来訪者記憶部５８は、過去に来訪した来訪者１２についての来訪者情報６３を記憶しておいてもよい。来訪者情報６３は、たとえば来訪者１２の氏名、所属、映像または静止画像、およびこれらの対応関係についての情報を含む。
【００４０】
たとえば、来訪者１２が着ている服の、形状および色の少なくともいずれか一方を、来訪者１２を撮像した画像情報から判断し、制服であるか否かを判別する。また来訪者の服装がスカートを含むと判断されれば女性であると判別したり、来訪者が短髪であれば男性、長髪であれば女性などと判断する。来訪者１２に対する判断の手法は、どのような手法であってもよい。たとえば、顔を判別することによって来訪者１２の識別を行ってもよく、また制服に記載されている紋章などのマークを読取ることによって来訪者１２の識別を行ってもよい。
【００４１】
これによって、警察など特定の組織の人物である場合、および配達業者、営業による訪問者など特定の企業の人物である場合を識別することができる。来訪者記憶部５８に記憶される複数の類型、およびそれらの類型に基づいて来訪者識別手段２７によってなされる識別の結果が、実際の来訪者１２の所属などとずれる場合があっても構わない。
【００４２】
後述する来訪者応答情報２０は、応答情報２１および来訪者情報６３を含み、業者関係と友人知人関係とに分類されて、記憶手段７９に記憶されている。応答情報２１は、応答情報記憶部１３にも記憶され、来訪者情報６３は、来訪者記憶部５８にも記憶されている。業者関係は、警察など特定の組織、および配達業者、営業による訪問者など特定の企業などの関係であり、友人知人関係は、業者関係以外の関係、たとえば友人、知人、親戚、先輩、後輩など個人的な関係である。来訪者応答情報２０は、来訪者居住者関連情報である。記憶手段７９は、関連情報記憶手段である。
【００４３】
照明制御部５７は、来訪者１２が来訪したときに、すなわち押しボタン５４が押されたときに、照明器具６２を点灯させ、これに伴って、来訪者撮像手段２６および来訪者識別手段２７が稼働を開始する。照明制御部５７を介した照明器具６２の制御、来訪者撮像手段２６の制御、および来訪者識別手段２７の制御は、制御手段１７が、統括的に行う。
【００４４】
インターホン装置１０のうち、屋内に設置される屋内機６５は、マイク６６およびネットワーク通信部６８を含む。マイク６６は、住居１８に在宅している在宅者がインターホン装置１０を介して来訪者１２に対して音声を伝達するときに、音声の入力のために用いられる。ネットワーク通信部６８は、マイク６６によって入力された音声の情報を、在宅者の操作および予め定められる設定に応じてインターホン屋外機３９または屋内機６５のスピーカ６９に、選択的に伝送する。屋内機６５が、複数の屋内端末７２を含み、各屋内端末７２が、マイク６６、操作部７４およびスピーカ６９を含む場合には、複数の屋内端末７２を屋内において離れた複数の位置に配置すれば、ネットワーク通信部６８による制御によって、屋内において離れた複数の位置における互いの通信も可能となる。
【００４５】
インターホン装置１０は、音声制御部７６および設定記憶部７８をさらに含む。応答情報記憶部１３、来訪者記憶部５８および設定記憶部７８は、記憶手段７９に含まれ、インターホン装置１０は、記憶手段７９を含む。記憶手段７９は、たとえばランダムアクセスメモリ（Random Access Memory；略称「ＲＡＭ」）、ハードディスクドライブ（略称「ＨＤＤ」）、フラッシュメモリを用いるＳＳＤ（Solid State Drive）などのいずれか１つを含んで実現される。記憶手段７９の構成については、特にこれらのいずれかに限定するものではなく、いずれの種類の記憶装置によって実現されてもよい。応答情報記憶部１３、来訪者記憶部５８および設定記憶部７８は、一体的に形成されてもよい。記憶手段７９は、制御手段１７によって制御される。
【００４６】
音声制御部７６は、在宅者がマイク６６を介して入力した音声情報、および来訪者１２が屋外マイク４４を介して入力した音声情報を予め定める通信端末８１に伝送する制御を行う。予め定める通信端末８１は、たとえば携帯電話などである。したがって、この場合には、音声制御部７６は、電話回線８０を介して通信端末８１に音声情報を伝送する。設定記憶部７８は、音声制御部７６による音声情報の伝送先となる通信端末８１などについての情報を記憶し、音声制御部７６は、設定記憶部７８に記憶される設定に沿って制御を行う。設定記憶部７８に記憶される設定は、操作部７４を介して入力された内容を記憶し、たとえば、ネットワーク通信部６８による通信の形式などをさらに記憶してもよい。
【００４７】
インターホン装置１０が複数の屋内端末７２を含み、複数の屋内端末７２における互いの通信が無線による通信を行う場合には、インターホン装置１０は、データ通信無線制御部８２を含んで構成される。データ通信無線制御部８２は、いわゆるインターフェースを含み、送信する信号の変調、受信した信号の復調などを行う。またインターホン装置１０においてインターホン屋外機３９と屋内機６５との間で無線通信が行われる場合にも、これらの間の無線通信について、データ通信無線制御部８２が同様の制御を行う。
【００４８】
インターホン装置１０は、ＲＯＭ（Read Only Memory）８４およびスピーカ６９、表示部８６、および操作部７４をさらに含む。ＲＯＭ８４には、インターホン装置１０が起動されたときに制御手段１７が読み込むべきプログラムが記録されている。またＲＯＭ８４には、さらに初期状態において各部に定められる設定も記録されている。
【００４９】
図４は、表示部８６の表示画面の一例を表す図である。インターホン装置１０は、来訪者撮像手段２６による撮像と屋外マイク４４による音声情報の取得とを同時に行い、在宅者による操作部７４の操作に応じて、来訪者撮像手段２６からの映像を表示部８６に表示し、屋外マイク４４からの音声情報をスピーカ６９に出力する。これらの操作部７４による操作に対する応答、映像と音声との同期および伝送に関する制御などは、制御手段１７が行う。
【００５０】
スピーカ６９は、住居１８内の１箇所に設けられる。また、スピーカ６９は、屋内端末７２が複数設けられるときには、各屋内端末７２に設けられ、インターホン屋外機３９からの音声情報、自身の屋内端末７２を除く他の屋内端末７２からの音声情報を出力する。またスピーカ６９は、単に来訪者１２が来訪したことを屋内において報知するための予め定める音声を出力する場合もある。
【００５１】
表示部８６は、液晶パネル８７ａおよびバックライト８７ｂなどを含んで構成され、来訪者撮像手段２６によって撮像された映像を表示する。また来訪者記憶部５８に記憶されている来訪者情報６３の少なくとも一部を表示することも可能である。操作部７４は、キーボタン７５ａ、キーボタン７５ａを制御するキー制御部７５ｂ、タッチパネル７５ｃ、タッチパネル７５ｃを制御するタッチパネル制御部７５ｄなどを含み、在宅者は、操作部７４を用いて操作内容を入力する。タッチパネル７５ｃは、表示部８６の表示画面に重ねて配置される。
【００５２】
インターホン装置１０は、さらにメモリカードドライバ８８、ＵＳＢドライバ９２、ソーラ情報受信部９３などを含んで構成されてもよい。メモリカードドライバ８８は、メモリカード９４に対する情報の書込みおよび読込みを行うためのハードウェアおよびソフトウェアである。ＵＳＢドライバ９２は、ＵＳＢメモリ９５に対する情報の書込みおよび読込みを行うためのハードウェアおよびソフトウェアである。このような外部の記録媒体との間で情報の伝送を可能とすることによって、たとえば画像情報、データベースなどをインターホン装置１０以外のパーソナルコンピュータで取り扱ったり、また自身のインターホン装置１０を除く他のインターホン装置１０との間で情報を共有したりすることができる。
【００５３】
ソーラ情報受信部９３は、電力供給制御部９６ｂを介して電力情報取得部９６ａに接続される。電力情報取得部９６ａは、インターホン装置１０の消費電力を監視する。また電力情報取得部９６ａは、電力供給制御部９６ｂに接続され、電力供給制御部９６ｂは、インターホン装置１０の消費電力を制御する。電力情報取得部９６ａおよび電力供給制御部９６ｂに複数の電気機器が接続される場合には、電力情報取得部９６ａおよび電力供給制御部９６ｂは、複数の電気機器の消費電力を統括的に監視または制御する。電力情報取得部９６ａには、たとえば太陽光発電装置９７およびこれによって発電される電力を表示するソーラ情報表示部９８などが接続される。これによって、インターホン装置１０は、住居１８に設けられるインターホン装置１０以外の他の電気機器とともに、電力供給についての統括的な制御を受けることができる。
【００５４】
図５は、記憶手段７９に記憶される業者関係来訪者応答情報２０ａを示す図である。業者関係来訪者応答情報２０ａは、来訪者応答情報２０に含まれる。業者関係来訪者応答情報２０ａは、業者関係の応答情報２１、居住者情報２５、照明コントロールパターン情報２３および来訪者情報６３を含む。来訪者情報６３は、来訪者１２またはその所属の名前、名前の読み、来訪者１２の電話番号、過去に来訪者撮像手段２６によって撮像した画像、過去に屋外マイク４４を介して入力された来訪者１２の声を含む音声情報を含む。名前は、来訪者１２の氏名であってもよいけれども、図５に示す業者関係来訪者応答情報２０ａでは、来訪者識別手段２７によって分類されて定められる類型の名称である。来訪者識別手段２７によって、来訪者１２を予め定める複数の類型のうちに分類ができないときには、来訪者識別手段２７は「その他」に分類し、名前は、操作部７４を操作する在宅者によって修正されてもよい。
【００５５】
居住者情報２５は、住居１８に居住する居住者を表す情報であり、たとえば、居住者Ａ〜Ｅの５人の居住者が示されている。居住者は、たとえば居住者Ａが祖父であり、居住者Ｂが父であり、居住者Ｃが母であり、居住者Ｄが長男であり、居住者Ｅが長女である。各居住者に付されている黒い丸印は、同じ行に示される来訪者１２に関連付けられている居住者であることを示し、応答情報２１で示される応答内容が適用されることを示している。したがって、黒い丸印が付されている居住者に対しては、応答情報２１で示される応答内容で応答し、黒い丸印が付されていない居住者に対しては、なにも応答しないことを示している。
【００５６】
応答情報２１は、応答内容の情報を示し、予め定める複数の場合と、来訪者１２の各類型に応じて定められる。図５に示す業者関係来訪者応答情報２０ａでは、類型のうち少なくとも３つを例示しており、各類型を類型Ｔ１〜Ｔ３とする。予め定める複数の場合とは、次の３つの状況（ａ）〜（ｃ）であって、状況（ａ）は、「在宅者のすべてが便所３４および浴室３６の少なくともいずれか一方に所在している状況」であり、状況（ｂ）は、「在宅者が来訪者１２に対してすぐに応答可能な状況」であって、状況（ｃ）は、「居住者のすべてが外出し、在宅者が居ない状況」である。状況（ｂ）は、具体的には、「在宅者が住居１８内のうち便所３４および浴室３６を除く他の部分に存在が認められる状況」であり、居住者が応答可能な場所にいる状況である。照明コントロールパターン情報２３については、後述する。
【００５７】
状況（ａ）には、３つの類型のいずれの来訪者１２に対しても、対応Ａの内容で応答する。対応Ａは、「只今どうしても手がはなせません。暫くお待ちいただくか、もしくは３０分後にお越しくださいますようお願いいたします。」という音声情報および文字情報を含む応答情報２１での対応である。したがって状況（ａ）には、この音声情報を屋外スピーカ４６から出力し、またこの文字情報を屋外表示部４８において表示する。この応答内容は、一例であって、他の文言であってもよく、また複数の選択肢のうちから選択によって設定する構成としてもよく、在宅者が操作部７４を介して入力することによって設定してもよく、また操作した人物の声を録音することによって応答内容を記憶させておくことも可能である。
【００５８】
状況（ｂ）には、複数の類型のいずれの場合であっても来訪者１２に対して対応Ｂの内容で応答する。対応Ｂは、屋外スピーカ４６からの音声の出力も、屋外表示部４８による表示も何も行わないという応答情報２１での対応である。在宅者が来訪者１２に対してすぐに応答可能である場合には、在宅者が来訪者１２に応答するまで来訪者１２を待たせておくことに問題は生じない。
【００５９】
状況（ｃ）には、類型Ｔ１の来訪者１２に対しては、対応Ｃ１の内容で対応し、類型Ｔ２の来訪者１２に対しては対応Ｃ２の内容で対応し、類型Ｔ３の来訪者１２に対しては、対応Ｃ３の内容で対応する。対応Ｃ１は、「後ほどお電話させていただきます」という音声情報および文字情報を含む応答情報２１での対応である。この音声情報を屋外スピーカ４６から出力し、またこの文字情報を屋外表示部４８において表示する。この応答内容も一例であって、複数の選択肢のうちから選択する構成としてもよく、入力によって応答内容が記憶される構成としてもよい。
【００６０】
対応Ｃ２は、「ＺＺコンビニに預けておいて下さい」という音声情報および文字情報を含む応答情報２１での対応である。「ＺＺ」は一例であり、コンビニエンスストアの固有名詞に置換えられる。この音声情報を屋外スピーカ４６から出力し、またこの文字情報を屋外表示部４８において表示する。対応Ｃ３は、「２０時にもう一度来てください」という音声情報および文字情報を含む応答情報２１での対応である。対応Ｃ２およびＣ３も、応答内容の一例であって、複数の選択肢のうちから選択する構成としてもよく、入力によって応答内容が記憶される構成としてもよい。
【００６１】
図６は、記憶手段７９に記憶される友人知人関係来訪者応答情報２０ｂを示す図である。友人知人関係来訪者応答情報２０ｂは、来訪者応答情報２０に含まれる。業者関係来訪者応答情報２０ａは、応答情報２１、居住者情報２５、照明コントロールパターン情報２３および来訪者情報６３を含む。図６に示す友人知人関係来訪者応答情報２０ｂでは、来訪者１２の類型は、来訪者１２の個人に対応し、来訪者情報６３は、来訪者１２の情報を含む。図６に示す来訪者情報６３には、７人の来訪者１２の情報を示しているが、来訪者１２の数は、７人に限定されるものではなく、必要な人数の来訪者１２を登録することができる。また図６に示す友人知人関係来訪者応答情報２０ｂの来訪者情報６３に、屋外マイク４４を介して取得した来訪者１２の音声情報を含んでいてもよい。図６に示す友人知人関係来訪者応答情報２０ｂでは、各来訪者１２は、居住者のいずれか１人に関連付けられているけれども、複数の居住はまたはすべての居住者に関連付けて、記憶されていてもよい。
【００６２】
状況（ａ）における対応Ａおよび状況（ｂ）における対応Ｂは、図５に示す業者関係来訪者応答情報２０ａにおける対応ＡおよびＢと同様である。図６に示す友人知人関係来訪者応答情報２０ｂにおける対応Ｃでは、来訪者１２が来訪したことを携帯電話に連絡するという対応を含んでいる。応答情報記憶部１３に記憶される応答情報２１は、携帯電話に連絡する手順についての情報を含む。具体的には、来訪者１２が来訪したことを表す情報を、電子メールによって携帯電話に送信してもよいけれども、図６に示す友人知人関係来訪者応答情報２０ｂにおいて対応Ｃは、屋外マイク４４を介して取得した音声情報を、携帯電話によって通話可能に、携帯電話に転送するという対応を含んでいる。対応Ｃは、複数の具体的な対応Ｃ１，Ｃ２，・・・，Ｃｎ（ｎは自然数）を含んでおり、各具体的な対応Ｃｉ（ｉは自然数；１≦ｉ≦ｎ）は、各来訪者１２の情報に関連付けられている。複数の来訪者１２に対して同一の対応Ｃｉが関連付けられていてもよい。図５および図６には示していないが、対応Ｄとして「只今留守にしております。ご用件がございましたら、ピーという発信音の後にお名前とご用件をお話しください。」という音声情報および文字情報を含む応答情報２１での対応も可能である。
【００６３】
図７は、居住者が１人である場合の来訪者１２への応答方法の工程を表すフローチャートである。処理開始後、ステップａ１に移行し、住居１８内の予め定める領域に人物が存在するか否かを判断する。予め定める領域は、カメラ３２によって撮像される範囲である。在宅していると判断されるときには、ステップａ２に移行し、人物の存在位置が便所３４であるか否かを判定する。ステップａ１において居住者が在宅していないと判定されると、後述するステップａ６に移行する。
【００６４】
ステップａ２において人物の存在位置が便所３４でないと判定されると、ステップａ３に移行し、浴室３６であるか否かを判定する。ステップａ２において人物の存在位置が便所３４であると判定された場合、およびステップａ３において人物の存在位置が浴室３６であると判定された場合は、状況（ａ）に該当し、ステップａ４に移行し、対応Ａを行う。ステップａ３において人物の存在位置が浴室３６ではないと判定された場合は、状況（ｂ）に該当し、ステップａ５に移行し、対応Ｂを行う。ステップａ１において居住者が在宅していないと判定されると、ステップａ６に移行し、来訪者１２の類型を判定する。
【００６５】
この工程を来訪者類型判定工程と称すると、来訪者類型判定工程において来訪者１２の類型が類型Ｔ１であると判定されると、ステップａ７に移行し、対応Ｃ１を行う。来訪者類型判定工程において来訪者１２の類型が類型Ｔ２であると判定されると、ステップａ８に移行し、対応Ｃ２を行う。来訪者類型判定工程において来訪者１２の類型が類型Ｔ３であると判定されると、ステップａ９に移行し、対応Ｃ３を行う。対応Ａ，Ｂ，Ｃ１〜Ｃ３を行った後に、本処理を終了する。再び来訪者１２があれば、本処理を再度、開始する。
【００６６】
対応Ａ，Ｂ，Ｃ１〜Ｃ３，Ｄを除くその他の対応としては、来訪者１２が来訪したことを携帯電話に連絡するという対応を含んでいてもよい。この場合、応答情報２１は、携帯電話に連絡する手順についての情報を含む。具体的には、来訪者１２が来訪したことを表す情報を、電子メールによって携帯電話に送信してもよい。また、屋外マイク４４を介して取得した音声情報を、携帯電話に通話として転送するという対応を含んでいてもよい。
【００６７】
これによって携帯電話を所持して外出している居住者は、携帯電話およびインターホン装置１０を介して来訪者１２と会話することが可能となる。またステップａ６のような来訪者類型判定工程を行わず、居住者が在宅していない状況（ｃ）に、すべての来訪者１２に対して共通した対応を行う構成としてもよい。
【００６８】
来訪者１２が来たことを表す情報は、来訪が検知された直後、住居１８内において予め定める音声を出力することによって、在宅者に対して報知される。この報知は、電子的に記憶手段７９に記憶された呼び鈴やチャイムを表す音声情報をスピーカ６９から出力することによる報知であってもよい。
【００６９】
来訪者１２が来訪し、来訪が検知されると、屋外撮像手段、たとえば屋外カメラ４２によって撮像が実行され、時間に関して予め定める長さの映像が、一時的に来訪者記憶部５８に録画される。この一時的な録画は、１回の来訪に関して１回、行われる。来訪者情報６３は、複数回の来訪があっても、１つの類型について１つ記憶する。１つの来訪者情報６３としては、映像を動画像として記憶しても構わないけれども、本実施形態では、動画像よりも１つの静止画像を記憶する方が、記憶手段７９の容量を有効利用できるので、１つの来訪者情報６３は、１つの静止画像を含む。他の実施形態では、１つの来訪者情報６３が、複数の、たとえば２つまたは３つの静止画像を含む構成としてもよい。
【００７０】
図８は、応答情報２１を記憶手段７９に入力するときに、表示部８６に表示される入力画面の一例を表す図である。図８に示すように、一時的に録画された映像は、在宅者に対して表示され、かつこの映像を表す映像情報に基づいて、来訪者情報６３が在宅者によって確定される。在宅者による来訪者情報６３の確定は、来訪者１２への自動的なまたは手動による応答が終了した後に行われ、来訪者１２が来訪を終えて帰ってから行われてもよい。在宅者は、操作部７４を操作し、映像情報に含まれる画像情報のうちから１または複数の画像を表す画像情報を選択し、来訪者情報６３に含める。来訪者情報６３は、前述のように、その他名前、読み方、電話番号、および関連する内容を文字で表したメモ情報が含まれてもよい。また各類型の来訪者１２が、住居１８に居住する居住者のうちの、誰への来訪者１２であったのか、という情報をも含む。このことが不明な場合には、当然に来訪者情報６３から除外されてもよい。また来訪者情報６３は、居住者全員に対する来訪であったという情報を含んでもよい。
【００７１】
図９は、過去に記憶手段７９に記憶された来訪者情報６３を表示するときの、表示部８６の表示画面の一例を表す図である。図９に示すように、来訪者情報６３は、操作部７４の操作によって読出すことが可能である。これは、操作部７４による操作を受けて、制御手段１７が来訪者記憶部５８に記憶される情報を読出し、表示部８６に表示させることによって行われ、これによって在宅者は、来訪者情報６３を随時確認することができる。表示部８６に表示される情報は、来訪者情報６３の一部であってもよく、すべてであってもよい。また表示部８６には、各類型の来訪者１２に対して関連付けられる複数の応答内容も表示させることが可能であり、この関連付けられる各応答内容は、操作部７４の操作によって変更可能である。
【００７２】
図１０は、来訪履歴情報１１０の一例を表す図である。図１１は、表示部８６が来訪履歴情報１１０を表示するときの表示画面の一例を表す図である。来訪者記憶部５８は、来訪者１２が来訪したことと、各回の来訪における来訪者識別手段２７による識別結果とを記憶することができ、表示部８６は、来訪者１２の来訪を、履歴として視認可能に表示することができる。
【００７３】
来訪の履歴を表す来訪履歴情報１１０は、屋外撮像手段、たとえば屋外カメラ４２によって撮像された映像および来訪者識別手段２７による識別結果を含むものとして設定される。表示部８６は、図１１に示すように、来訪履歴情報１１０とともに、ソーラ情報受信部９３を介して取得した太陽光発電によって得られた電力量の情報を表示してもよい。さらには、消費電力の情報を表示する構成としてもよい。
【００７４】
上述したように、住居内検知手段１１は、住居１８の内部において人物の存在位置および状況の少なくとも一方を検知する。制御手段１７は、住居内検知手段１１による検知結果に基づいて、応答情報記憶部１３に記憶される複数の応答情報２１から、１または複数の応答情報２１を選択し、選択された応答情報２１が表す応答内容を出力手段１６に出力させる。
【００７５】
これによって、住居１８の内部における人物の位置に応じて、来訪者１２への応答内容を変更することが可能となる。たとえば、住居１８内における人物の存在位置が、便所３４および浴室３６の少なくともいずれか一方のみに限定されるとき、または便所３４および浴室３６の少なくともいずれか一方のみにおいて人物の活動が検出されるときに、来訪者１２への即座の対応が不可能であることと、住居１８内にいる人物に、来訪者１２が来たことが報知されていることの両方の情報を、来訪者１２への応答内容に反映させることも可能となる。したがって、来訪者１２への応答内容を、在宅している在宅者の状況に応じた応答内容とすることができる。
【００７６】
またインターホン装置１０は、来訪者撮像手段２６と、来訪者識別手段２７とをさらに含んで構成される。来訪者撮像手段２６は、来訪者１２を撮像し、撮像した来訪者の画像を表す来訪者画像を取得する。来訪者識別手段２７は、来訪者１２の来訪者画像を解析することによって、来訪者１２を識別する。制御手段１７は、来訪者識別手段２７による識別結果に基づいて、出力手段１６に出力させる１または複数の応答情報２１を選択する。これによって、来訪者１２による差異に応じて、応答内容を変更することが可能となる。たとえば来訪者１２の人数、性別、制服、および人物などのいずれか１つ以上の種別に応じて応答内容を変更することが可能となるので、応答内容を、来訪者１２の役割または目的に即したものとすることができる。
【００７７】
また住居内検知手段１１は、人物の存在位置を検出する。これによって、たとえば浴室３６など、来訪者に対して即座に対応することが困難な場所において、人物が存在しているか否かの情報を取得することができる。したがって、浴室３６など来訪者への即座の対応が困難な場所が人物の存在位置である場合に、来訪者１２への即座の対応が不可能であることと、住居１８内にいる人物に、来訪者１２が来たことが報知されていることの両方の情報を、来訪者１２への応答内容に反映させることができる。したがって、来訪者１２への応答内容を、在宅している在宅者の状況に応じた応答内容とすることができる。
【００７８】
また、住居内検知手段１１は、便所３４が人物の存在位置であるか否かを判定する。これによって、便所３４において、人物が存在しているか否かの情報を取得することができる。したがって、便所３４が人物の存在位置である場合に、来訪者１２への即座の対応が不可能であることと、住居１８内にいる人物に、来訪者１２が来たことが報知されていることの両方の情報を、来訪者１２への応答内容に反映させることができる。
【００７９】
インターホン装置１０は、居住者識別手段１１１をさらに含み、居住者識別手段１１１は居住者情報記憶部１１２を有する。居住者情報記憶部１１２は、住居１８に居住する居住者の個人属性情報１１３を列挙して記憶する。居住者の個人属性情報１１３は、各居住者の性別、生年月日、身長、および体重などの少なくとも一部の情報である。また、居住者の個人属性情報１１３は、居住者情報２５を含む。居住者情報２５は、記憶手段７９に記憶される来訪者応答情報２０にも含まれる。また、居住者の個人属性情報１１３は、各居住者が撮像された画像の解析結果を含むものであってもよい。
【００８０】
居住者識別手段１１１は、検知された人物について住居内検知手段１１が取得した予め定める種類の情報を解析することによって、検知された人物を識別する。制御手段１７は、居住者識別手段１１１の識別結果に基づいて、出力手段１６に出力させる１または複数の応答情報２１を選択する。居住者情報記憶部１１２は、記憶手段７９のうちに設けられ、ＲＡＭ、ＨＤＤ、ＳＳＤなどのいずれか１つの装置構成を含んで実現される。
【００８１】
住居内検知手段１１が取得する予め定める種類の情報は、画像情報を含む。居住者情報記憶部１１２は、住居１８に居住する居住者の画像に関する情報を記憶する。居住者識別手段１１１は、人物存在判定部２４によって人物が撮像されていると判定されたときに、人物が撮像されている屋内画像と、居住者情報記憶部１１２に記憶される居住者の画像に関する情報とを比較し類比判断する。
【００８２】
来訪者記憶部５８は、来訪者撮像手段２６によって撮像された来訪者画像を記憶し、また来訪者記憶部５８は、来訪者識別手段２７による来訪者画像の識別結果を、居住者情報記憶部１１２に記憶される居住者のうちの少なくとも一部の人物の情報に関連付けて記憶する。
【００８３】
インターホン装置１０は、複数の報知手段１１４をさらに含んで構成される。複数の報知手段１１４は、制御手段１７によって制御され、住居１８の内部における各人物に対し、各人物の存在位置に応じて報知を行う。来訪者１２が来訪し、来訪者識別手段２７による識別結果が、居住者の一部の人物に関連付けられることを表したときに、制御手段１７は、関連付けられた居住者の一部の人物の存在位置に対応する報知手段１１４による報知を、他の報知手段１１４による報知よりも早く行わせる制御を行う。
【００８４】
居住者識別手段１１１は、屋内画像に含まれる在宅者の顔を人物の顔であると判定するとともに、居住者のうちの誰であるかということを識別する。カメラ３２は、たとえば台所であれば、流し台３８に立つ人物の顔を撮像しやすい位置に設置する。また部屋２８であれば、入室する人物の顔を撮像しやすい位置に設置する。人物の顔であるか否かの判定および居住者のうちの誰であるかの識別には、来訪者識別手段２７による識別と同様の手法を用いることができる。カメラ３２によって撮像された屋内画像に顔が写っていない場合、および居住者以外の人物が撮像された場合など、居住者のうちの誰であるかを識別できないときには、「識別不能」または「その他の人物である」との判定を行ってもよい。
【００８５】
来訪者識別手段２７は、来訪者１２が来たときには、来訪者１２を来訪者記憶部５８に記憶されている来訪者情報６３に基づいて判定する。すなわち来訪者１２の類型を、居住者のうちの誰を訪問した来訪者１２であるかという情報に基づいて判定する。この判定結果に基づいて、訪問を受けた居住者が在宅していれば、訪問を受けていない他の居住者への報知よりも、訪問を受けた居住者への報知を優先して行う。来訪者識別手段２７は、来訪者１２が居住者のうちの誰を訪問したのかを、来訪者応答情報２０に基づいて判断する。
【００８６】
またインターホン装置１０は、屋外カメラ４２によって撮像した映像情報および屋外マイク４４によって取得した音声情報を、録画、録音する。このために、図１１に示すように、インターホン装置１０は、映像コーデック部１１６および音声コーデック部１１８をさらに含んで構成される。映像コーデック部１１６は、映像を録画および再生するときに必要なプロトコルである映像コーデックを記憶している。音声コーデック部１１８は、音声を録画および再生するときに必要なプロトコルである音声コーデックを記憶している。
【００８７】
図１２は、居住者が１人とは限らない場合の来訪者１２への応答方法の工程を表すフローチャートである。本処理開始後、ステップｂ１に移行し、来訪者１２の検出を行う。来訪者１２の検出は、赤外線を利用した物体の近接を感知するセンサをインターホン屋外機３９の近傍の設置し、このセンサによって検出してもよいけれども、インターホン屋外機３９に設けられた押しボタン５４が押下されたか否かを検出することによって行われる。来訪が検出されなければ、検出されるまで検出を試みる。
【００８８】
次にステップｂ２に移行し、在宅者の有無の判定および特定を行う。これは、カメラ３２によって撮像された屋内画像を居住者識別手段１１１によって識別することによって行う。他の実施形態においては、他の方法で識別を行ってもよい。ステップｂ２では、在宅者がいれば、在宅者の特定が不可能であっても、「在宅者あり」と判断して次の工程に移行する。
【００８９】
ステップｂ２において在宅者がいる場合には、ステップｂ３に移行し、在宅者の存在位置が、応答可能な位置であるか否かの判定を行う。在宅者の存在位置が、便所３４および浴室３６の少なくともいずれか一方または両方のみであり、それ以外の場所が在宅者の存在位置ではない場合には、応答が不可能であると判断する。在宅者の存在位置が、住居１８内のうち、便所３４および浴室３６を除く他の位置である場合には、応答可能な位置であると判断する。在宅者の存在位置が応答可能な位置であるとは、住居の内部において存在が検知された人物が応対可能な場所にいることである。
【００９０】
ステップｂ３で、在宅者の存在位置が応答可能な位置であると判断されると、ステップｂ４に移行し、来訪者１２の類型を判断する。図１２に示す具体例では、まず業者であるか否かを判定し、判定されれば、さらに来訪者１２がいずれの類型であるかの判定を行う。業者は、業者関係の来訪者である。判定不可能な場合には、たとえば特定の業者の類型と同等であるとの判定を行うように設定されていてもよい。この場合、在宅者の存在位置が応答可能な位置であるので、図７に関連して説明した「状況（ｂ）」に該当する。
【００９１】
ステップｂ４において業者であると判定されると、ステップｂ５に移行し、来訪者１２の類型に応じた対応の決定を行う。次にステップｂ６に移行し、ステップｂ５における決定内容に応じた対応を行う。具体的には、屋内に設けられる複数の報知手段１１４のすべてによって報知を行う。この場合には、在宅者はすぐに応答可能であるので、来訪者１２に対しては、屋外スピーカ４６および屋外表示部４８による動作は、行わない。
【００９２】
ステップｂ４で、来訪者１２が業者ではないと判定された場合には、ステップｂ７に移行し、来訪者１２の類型に応じた対応の決定を行う。次にステップｂ８に移行し、ステップｂ７における決定内容に応じた対応を行う。来訪者１２が、居住者のうちの一部の人物への来訪者１２である場合には、訪問を受けた居住者がいる場所に設置された報知手段１１４によって呼び鈴としての音声を鳴動させ、訪問を受けていない他の居住者に優先して報知を行う。訪問を受けた居住者には、訪問を受けていない居住者よりも早く、報知を行うことによって優先する構成としたけれども、他の実施形態では、大きな音声を鳴動させることによって訪問を受けた居住者に、訪問を受けていることを知らせる構成としてもよい。
【００９３】
ステップｂ３において、在宅者は居るけれども在宅者の存在位置が、応答が不可能な場所であると判定された場合には、ステップｂ９に移行し、来訪者１２の類型判定を行う。ステップｂ９では、まず来訪者１２が業者であるか否かを判定し、さらに細分化された複数の類型に、来訪者１２を分類する。来訪者１２が業者である場合には、ステップｂ１０に移行し、来訪者１２の類型に応じた対応の決定を行う。具体的には、屋内に設けられる複数の報知手段１１４のすべてによって報知を行う。この場合、在宅者の存在位置が応答の不可能な位置であるので、図７に関連して説明した「状況（ａ）」に該当する。来訪者１２である業者に対しては、状況（ａ）においてその業者の類型に定められる対応を選択する。次にステップｂ１１に移行し、ステップｂ１０における決定内容に応じた対応を行う。
【００９４】
ステップｂ９において、来訪者１２が業者ではないと判定された場合には、ステップｂ１２に移行し、来訪者１２の類型に応じた対応の決定を行う。来訪者１２が、居住者のうちの一部の人物への来訪者１２である場合には、訪問を受けた居住者がいる場所に設置された報知手段１１４によって呼び鈴としての音声を鳴動させ、訪問を受けていない他の居住者に優先して報知を行う。次にステップｂ１３に移行し、ステップｂ１２における決定内容に応じた対応を行う。
【００９５】
ステップｂ２において在宅者がいないと判定された場合にも、屋内での報知手段１１４による音声の鳴動は行う。これによって、在宅者が居てその存在位置を特定することができない場合にも、在宅者が来訪者１２の来訪に気付くことができる。ステップｂ２において在宅者がいないと判定されると、ステップｂ１４に移行し、来訪者１２の類型判定を行う。ステップｂ１４では、まず来訪者１２が業者であるか否かを判定し、さらに細分化された複数の類型に、来訪者１２を分類する。
【００９６】
ステップｂ１４で、来訪者１２が業者であると判定された場合には、ステップｂ１５に移行し、来訪者１２の類型に応じた対応の決定を行う。具体的には、屋内に設けられる複数の報知手段１１４の全てによって報知を行う。この場合、在宅者が存在しないので、図７に関連して説明した「状況（ｃ）」に該当する。来訪者１２である業者に対しては、状況（ｃ）においてその業者の類型に定められる対応を選択する。次にステップｂ１６に移行し、ステップｂ１５における決定内容に応じた対応を行う。
【００９７】
ステップｂ１４において来訪者１２が業者ではないと判定された場合には、ステップｂ１７に移行し、来訪者１２の類型に応じた対応の決定を行う。来訪者１２が、居住者のうちの一部の人物への来訪者１２である場合には、訪問を受けた居住者がいる場所に設置された報知手段１１４によって呼び鈴としての音声を鳴動させ、訪問を受けていない他の居住者に優先して報知を行う。次にステップｂ１８に移行し、ステップｂ１７における決定内容に応じた対応を行う。その後、ステップｂ１に移行し、再び来訪者１２があるか否かの判定を行う。
【００９８】
図１３は、来訪者１２への応答方法において、来訪者１２に関して行う工程を表すフローチャートである。図１３は、図１２のステップｂ４，ｂ９，ｂ１４において来訪者１２の識別が行われる工程およびこれ以降の工程を、来訪者１２への対応について、さらに詳細に説明する図である。
【００９９】
まず、ステップｃ１において、来訪者１２の検出を行う。来訪が検出されなければ、検出されるまで検出を試みる。この工程は、図１２に関連して説明したステップｂ１と同一である。次にステップｃ２に移行し、来訪者１２の撮像を開始する。来訪者１２の撮像は、制御手段１７によって制御される屋外カメラ４２によって行われる。次にステップｃ３に移行し、撮像して得られた映像の保存を開始する。映像の保存は、制御手段１７によって、来訪者記憶部５８に記憶される。
【０１００】
次にステップｃ４に移行し、来訪者１２の認識を行う。これは、屋外カメラ４２による撮像によって得られた映像を来訪者識別手段２７によって解析することによって行われる。次にステップｃ５に移行し、来訪者識別手段２７による識別結果に該当する来訪者情報６３があるか否かを判定する。これは、来訪者記憶部５８に記憶される来訪者情報６３に基づいて、制御手段１７によって行われる。
【０１０１】
ステップｃ５において該当する来訪者情報６３があると判定されると、ステップｃ６に移行し、友人または知人であるか否かの判定を行う。これは、制御手段１７によって行われる。友人または知人は、業者以外の来訪者であり、業者とは区別される。友人または知人であると判定されると、ステップｃ７に移行し、来訪者１２が訪問する訪問相手を特定する。これは、制御手段１７が、来訪者情報６３においてその来訪者１２に関連付けられる居住者の個人属性情報１１３を抽出することによって行われる。次にステップｃ８に移行し、屋内での対応を行う。屋内での対応については、前述のように、来訪者１２の訪問相手である居住者に対して優先的に報知を行う。
【０１０２】
次にステップｃ９に移行し、来訪者１２への対応を行う。このときの来訪者１２への対応は、図１２を参照して説明したように、来訪者１２の類型、在宅者の有無および在宅者の存在位置に応じた対応を行う。次にステップｃ１０に移行し、撮像および映像保存を終了する。その後、ステップｃ１に移行し、再び来訪者１２があるか否かの判定を行う。
【０１０３】
ステップｃ６において友人または知人ではないと判定されると、業者であると判定され、ステップｃ１１に移行し、業者の類型が判定される。次に、ステップｃ１２に移行し、屋内への対応を行う。このときは、在宅者の有無に関わらず屋内において報知を行い、在宅者が複数人居た場合にも、在宅者の一部に優先的な報知を行うことなく、全ての在宅者に等しく報知を行う。次にステップｃ１３に移行し、来訪者１２への対応を行う。このときの来訪者１２への対応は、図１２を参照して説明したように、業者の類型、在宅者の有無および在宅者の存在位置に応じた対応を行う。次にステップｃ１０に移行し、撮像および映像保存を終了する。
【０１０４】
ステップｃ５において、来訪者記憶部５８に記憶される来訪者情報６３のうちで、来訪者１２の識別結果に該当する来訪者情報６３がないと判断されると、ステップｃ１４に移行し、来訪者１２が指名手配犯であるか否かの判定を行う。指名手配犯についての情報は、記憶手段７９に予め記憶されていてもよく、たとえばインターネット１２０を介して外部のデータベース１２１から提供されてもよい。この判断は、取得した指名手配犯についての情報に基づいて、制御手段１７が行う。
【０１０５】
ステップｃ１４において指名手配犯であると判断されると、ステップｃ１５に移行し、警察への通報が行われる。次にステップｃ１６に移行し、予め定める応答を行う。これは、指名手配犯に対応して予め定められ、たとえば自動応答によっていくつかの質問をする、撮像における解像度を高くして撮像を続ける、などの対応を行う。この予め定める応答を行っている間は、撮像、撮像によって取得した映像の保存、および音声の録音を継続して行う。これによって、たとえば、後に声紋分析などを行うことが可能となる。その後、ステップｃ１０に移行し、撮像および映像保存を終了する。
【０１０６】
ステップｃ１４において指名手配犯でないと判断されると、ステップｃ１７に移行し、予め定める来訪者１２への質問を自動的に音声出力する。次にステップｃ１８に移行し、音声出力によって質問した内容に対する来訪者１２の回答内容を、録音によって記憶する。これは屋外マイク４４を介して制御手段１７の制御によって行われ、来訪者記憶部５８に録音される。次にステップｃ１９に移行し、屋内への対応を行う。これは、単にスピーカ６９を介して音声の鳴動を行うのみでもよく、また来訪者の声による録音情報を、スピーカ６９を介して出力する構成であってもよい。その後、ステップｃ１０に移行し、撮像および映像保存を終了する。ステップｃ１０の後には、ステップｃ１に移行する。
【０１０７】
上述したように、住居内検知手段１１は、住居１８の内部において存在位置が検知された人物についての予め定める種類の情報を取得する。インターホン装置１０は、居住者識別手段１１１をさらに含み、居住者識別手段１１１は居住者情報記憶部１１２を有する。居住者情報記憶部１１２は、住居１８に居住する居住者の個人属性情報１１３を列挙して記憶する。居住者識別手段１１１は、検知された人物について住居内検知手段１１が取得した予め定める種類の情報を解析することによって、検知された人物を識別する。制御手段１７は、居住者識別手段１１１の識別結果に基づいて、出力手段１６に出力させる１または複数の応答情報２１を選択する。
【０１０８】
これによって、住居内に居る人物を識別することができ、識別された在宅者の状況に応じて来訪者１２への応答内容を変更することができる。たとえば、居住者識別手段１１１によって識別された人物が、住居１８に居住する居住者であるか否か、および居住者のうちの誰であるかに基づいて、来訪者１２への応答内容を変更することができる。これによって、住居１８に設定される安全性の水準を、住居１８内に居る人物が必要とする安全性の水準に合わせることが可能となる。
【０１０９】
また、インターホン装置１０は、来訪者記憶部５８を含んで構成される。来訪者記憶部５８は、来訪者撮像手段２６によって撮像された来訪者画像を記憶する。また来訪者記憶部５８は、来訪者識別手段２７による来訪者画像の識別結果を、居住者情報記憶部１１２に記憶される居住者のうちの少なくとも一部の人物の情報に関連付けて記憶する。
【０１１０】
これによって、すでに画像情報および来訪者識別手段２７による識別結果が、来訪者記憶部５８に記憶される来訪者１２が来訪したときに、来訪者１２が、居住者のうちの誰を訪問する来訪者１２であるか否かを判定することができる。したがって、来訪を受けた居住者が在宅しているか否かに応じて来訪者１２への応答内容を変更することができ、また来訪を受けた居住者が在宅している場合には、在宅している居住者の状況に応じて、来訪者１２への応答内容を変更することができる。さらに来訪者１２に応じて、在宅者に優先順位を設定することが可能となり、その優先順位に応じた報知を行うことが可能となる。
【０１１１】
また、インターホン装置１０は、複数の報知手段１１４をさらに含んで構成される。複数の報知手段１１４は、制御手段１７によって制御され、住居１８の内部における各人物に対し、各人物の存在位置に応じて報知を行う。来訪者１２が来訪し、来訪者識別手段２７による識別結果が、居住者の一部の人物に関連付けられることを表したときに、制御手段１７は、関連付けられた居住者の一部の人物の存在位置に対応する報知手段１１４による報知を、他の報知手段１１４による報知よりも早く行わせる制御を行う。
【０１１２】
これによって、来訪を受けた在宅者への報知を、複数の在宅者のうち来訪を受けた在宅者を除く他の在宅者への報知よりも優先して早く行うことができる。したがって、来訪者１２に対する応答内容を、来訪者１２および来訪を受けた在宅者両方に好ましい応答内容とすることができる。
【０１１３】
またさらに、住居内検知手段１１が取得する予め定める種類の情報は、画像情報を含む。住居内検知手段１１は、１または複数の屋内撮像部２２と、人物存在判定部２４とを有する。１または複数の屋内撮像部２２は、住居１８の内部の複数の位置において撮像を行い、屋内画像を取得する。人物存在判定部２４は、屋内画像を解析し、住居１８の内部の各位置において人物が撮像されているか否かを判定する。居住者情報記憶部１１２は、住居１８に居住する居住者の画像に関する情報を記憶する。居住者識別手段１１１は、人物存在判定部２４によって人物が撮像されていると判定されたときに、人物が撮像されている屋内画像と、居住者情報記憶部１１２に記憶される居住者の画像に関する情報とを比較し類比判断する。
【０１１４】
これによって、住居１８内において異なる複数の位置で人物が存在するか否かを判定し、撮像された人物を、居住者情報記憶部１１２に記憶される情報に基づいて、識別することができる。したがって、来訪者１２が来訪したときに、在宅者の状況に応じて即座に応答内容を選択することができる。
【０１１５】
また、住居内検知手段１１が取得する予め定める種類の情報は、体重についての計数情報を含む。住居内検知手段１１は、重量計測部を含み、重量計測部は、住居１８の内部の１または複数の位置において重量測定を行い、重量情報を取得する。居住者情報記憶部１１２は、住居１８に居住する居住者の体重に関する情報を記憶する。居住者識別手段１１１は、重量計測部によって取得された重量情報と、居住者情報記憶部１１２に記憶される情報とを比較し、類比判断する。
【０１１６】
これによって、人物の存在位置に関する情報を、高い精度で取得することが可能となる。たとえば台所および便所３４など、人物が位置する可能性の高い場所が局所的である場合には、住居内検知手段１１によって検地される範囲を、人物が位置する可能性の高い場所に、局所的に配置することが可能となる。また便所３４など、人物が存在しているか否かの情報を、画像を撮像することによって取得することが好ましくない場所においては、住居内検知手段１１による検知方法に多様性を付与し、汎用性の高いインターホン装置１０を実現することができる。
【０１１７】
したがって、居住者が複数であり、複数の居住者の体重がそれぞれに異なる場合に特に有効である。同一人物の体重も、食事、運動および入浴などによって増減するけれども、本実施形態は、居住者毎の体重の差異は、同一人物の日々の体重変化による差異よりも大きい場合に、適用可能である。
【０１１８】
体重を測定する重量計測部は、たとえば台所であれば、流し台３８の付近に立つことによって、人間の体重を検出できる位置、すなわち流し台３８に立つ人物の足元に位置する床に設ける。たとえば和式の便所３４であれば、便器の横の床に設け、洋式の便所３４であれば、便座に座ることによって体重を検出できるように、便座下などの位置に設置する。
【０１１９】
また、住居内検知手段１１が、浴室３６が人物の存在位置であるか、または活動場所であるか否かを判定するときには、上水道または下水道の流量に基づいて判定を行う。住居内検知手段１１は、流量測定部と、流量判定部とを有する。流量判定部は、浴室３６での上水道または排水流路における流量を測定する。流量判定部は、流量測定部の測定結果に応じて、浴室３６が人物の存在位置または活動場所であるか否かを判定する。具体的には、流量判定部は、たとえば数分〜数十分の時間単位で流量測定部の測定結果を参照する。これによって、浴室３６では、数分以下の時間に流量がほぼ零Ｌ／ｍｉｎとなったとしても、人物が存在するのにも関わらず人物が浴室３６に居ないと誤った判定がなされることを防止することができる。
【０１２０】
住居内検知手段１１は、流量測定部と、流量判定部とをさらに有し、流量判定部は、流量測定部の測定結果に応じて、浴室３６が人物の存在位置または活動場所であるか否かを判定するので、浴室３６において、人物が活動しているか否かの情報を取得することができる。浴室３６では、人物が存在しているか否かの情報を、たとえば画像を撮像することによって取得することが好ましくない場合もあり得るので、住居内検知手段１１による検知方法に多様性を付与し、汎用性の高いインターホン装置１０を実現することができる。
【０１２１】
図７および図１２において、住居内検知手段１１は、住居１８内における人物の存在位置が浴室３６および便所３４である場合を、即座の対応が不可能な場合として例示したけれども、住居１８内に人物が存在しても即座の対応が不可能な場合は、人物の存在位置が浴室３６および便所３４である場合に限定するものではない。たとえば人物の状況が睡眠中であったり、勉強部屋で勉強中であったりする場合を、検出することによって、「即座の対応が不可能な状況」だと判定してもよい。
【０１２２】
具体的には、たとえば夜具にかかる人物の体重の分布、およびその経時変化を検出することによって、在宅している人物、すなわち居住者の状況を判定する構成としてもよい。また「即座の対応が不可能な場合」として、これらの条件を在宅者が操作部７４を介して追加可能なインターホン装置１０としてもよい。また予め定められる複数の設定条件から、「即座の対応が不可能な場合」として居住者が設定しておきたい１または複数の条件を選択して設定可能に構成してもよい。これによって、たとえば居住者のうちに受験を控えた人物がいる場合、住居１８内であっても移動が困難な人物がいる場合などにも対応可能なインターホン装置１０とすることができる。したがって居住者の多様な要望を満たすことができ、汎用性の高いインターホン装置１０を実現することができる。
【０１２３】
他の実施形態では、人物の有無についての検出、すなわち来訪者１２および在宅者の存在を検出する手法は、赤外線センサ、熱センサ、超音波センサ、カメラ３２、重量測定、などのいずれか１つでもよく、またいずれか２つ以上を併用する構成とすることもできる。
【０１２４】
また個人を識別するための手法は、たとえば指紋認証、静脈形状認証、虹彩パターンの認証、人物が所持するカードであって、電子キーとしての情報が記録されたカード、または人物が所持するタグであって、無線通信によって個人を識別可能なタグなどを利用することもできる。これによって、一戸建てまたはマンションの居住空間など、住居として用いられる家屋のみならず、数名程度の社員が勤務する職場を成す建物においても、適用することができる。
【０１２５】
インターホン装置１０は、宅内照明制御部８９をさらに含んで構成される。住居１８には、宅内照明器具９０が各部屋２８に少なくとも１つ設けられる。照明手段である宅内照明器具９０は、たとえば電球あるいは蛍光灯などによって構成され、点灯することによって、各部屋２８を照明する。照明制御手段である宅内照明制御部８９は、各部屋２８に設けられる宅内照明器具９０の照明態様を個別に制御する。すなわち、宅内照明器具９０は、宅内照明制御部８９からの制御によって、照明態様を切り換える。照明態様については、後述する。
【０１２６】
宅内照明器具９０は、無線通信可能であり、宅内照明制御部８９は、データ通信無線制御部８２を介して、宅内照明器具９０と通信する。無線通信としては、たとえばブルートゥース（Bluetooth）、無線ローカルエリアネットワーク、ジグビー（ZigBee）、あるいはゼットウエイブ（Z-Wave）などの通信方式が用いられる。宅内照明制御部８９は、データ通信無線制御部８２を介して、宅内照明器具９０に照明態様の切り換えを指示し、各宅内照明器具９０による照明態様を制御する。本実施形態では、無線通信によって通信を行うが、有線通信であってもよい。
【０１２７】
宅内照明器具９０には、各宅内照明器具９０を識別するための照明器具識別情報が割り当てられる。宅内照明制御部８９は、通信先の宅内照明器具９０の照明器具識別情報を、データ通信無線制御部８２を介して送信することによって、通信先の宅内照明器具９０を特定する。宅内照明器具９０は、自己に割り当てられている照明器具識別情報を送信することによって、宅内照明器具９０を宅内照明制御部８９に識別させる。
【０１２８】
各部屋２８と各部屋２８に設けられる宅内照明器具９０との関連づけは、各部屋２８を識別するための部屋識別情報と、各部屋２８に設けられる宅内照明器具９０に割り当てられた照明器具識別情報とを対応付けた部屋照明器具対応情報を、予め設定記憶部７８に記憶しておくことによって行われる。
【０１２９】
図１４は、宅内照明器具９０の設置位置の一例を示す図である。図１４に示した例では、各宅内照明器具９０は、各部屋２８の天井の中央部に設置されるが、これに限定されるものではなく、壁、机の上、あるいは床等に設置されてもよい。また、複数の宅内照明器具９０が各部屋２８に設置されてもよい。
【０１３０】
図５に示した業者関係来訪者応答情報２０ａおよび図６に示した友人知人関係来訪者応答情報２０ｂに含まれる照明コントロールパターン情報２３は、予め定める照明態様である照明コントロールパターンを示す情報である。照明態様は、宅内照明器具９０によって照明する際の態様であり、たとえば照明の点灯時の明るさを変化させた照明態様、照明の点灯時の色合いを変化させた照明態様、および照明の点滅時の点滅周期を変化させた照明態様のうちの少なくとも１つの照明態様またはこれらの照明態様を組み合わせた照明態様である。
【０１３１】
図５に示した業者関係来訪者応答情報２０ａに含まれる照明コントロールパターン情報２３には、パターンＡおよびパターンＢが示され、図６に示した友人知人関係来訪者応答情報２０ｂに含まれる照明コントロールパターン情報２３には、パターンＣが示されている。パターンＡは、たとえば通常の明るさよりも明るい明るさでの照明態様である。パターンＢは、たとえば通常の白色とは異なる赤色などの色合いによる照明態様である。パターンＣは、たとえば照明を所定の点滅周期で点滅する照明態様である。
【０１３２】
図６に示した友人知人関係来訪者応答情報２０ｂでは、Ｎｏ．１，２，４，６，７の来訪者のとき、照明コントロールパターンは、パターンＡであり、Ｎｏ．３，５の来訪者のとき、照明コントロールパターンは、パターンＢである。図５に示した業者関係来訪者応答情報２０ａでは、いずれの来訪者であっても、照明コントロールパターンは、パターンＣである。照明コントロールパターンは、操作部７４の操作によって予め設定されるものである。設定されるパターンは、パターンＡ〜Ｃに限定されるものではなく、他のパターンを設定することも可能である。
【０１３３】
たとえば、照明の明るさを周期的に変化させる照明態様、照明の色あいを周期的に変化させる照明態様、照明の明るさもしくは色合いを変化させる周期を長くしたり短くしたりする照明態様、照明の点滅周期を変化させる照明態様、および宅内照明器具９０は点灯したまま、その宅内照明器具９０に併設される常夜灯などを点滅させる照明態様などであってもよい。
【０１３４】
図１５は、友人知人関係の対応動作Ｂ処理後の報知強化処理の処理手順を示すフローチャートである。報知強化処理は、来訪者１２があることを居住者により確実に報知するための処理である。友人知人関係の対応動作Ｂ処理後の報知強化処理は、図１２に示したステップｂ８の対応動作Ｂ処理実行が行われた後に実行される処理である。図１２に示したステップｂ８で説明した処理が実行された後、ステップｄ１に移る。図１５には、図１２に示したステップｂ８をステップｄ１として示している。
【０１３５】
図１５に示す報知強化処理の場合、図１２に示したステップｂ２では、制御手段１７は、来訪者識別手段２７によって識別された来訪者１２に関連付けられた居住者を、図６に示した友人知人関係来訪者応答情報２０ｂに基づいて特定し、特定した居住者が住居１８内に存在するか否かを判定する。友人知人関係の来訪者１２の場合、来訪者１２に関連付けられる居住者はいずれか１人である。特定した居住者が住居１８内に存在するとき、ステップｂ３に進み、特定した居住者が住居１８内に存在しないとき、ステップｂ１４に進む。図１２に示したステップｂ３では、制御手段１７は、特定した居住者の存在位置が応答可能な位置であるか否かの判定を行う。特定した居住者の存在位置が応答可能な位置であるとき、特定した居住者を、対象の居住者として、ステップｂ４に進み、特定した居住者の存在位置が応答可能な位置でないとき、ステップｂ９に進む。
【０１３６】
ステップｄ１では、制御手段１７は、図１２に示したステップｂ８の対応動作Ｂ処理実行が行われる。すなわち、来訪者１２の類型に応じた対応が行われる。ステップｄ２では、制御手段１７は、対象の居住者が存在する部屋２８の宅内照明器具９０の通信機能が有効であるか否かを判定する。
【０１３７】
具体的には、部屋特定手段である制御手段１７は、対象の居住者が存在する部屋２８を、居住者識別手段１１１の識別結果に基づいて特定し、さらに、特定した部屋２８に設けられる宅内照明器具９０を、設定記憶部７８に記憶される部屋照明器具対応情報に基づいて特定する。そして、制御手段１７は、特定した宅内照明器具９０との間で、宅内照明制御部８９によって通信を試行し、通信することができたとき、対象の居住者が存在する部屋２８の宅内照明器具９０の通信機能が有効であると判定し、ステップｄ３に進む。特定した宅内照明器具９０との間で、宅内照明制御部８９によって通信を試行し、通信することができなかったとき、対象の居住者が存在する部屋２８の宅内照明器具９０の通信機能が有効でないと判定し、友人知人関係の対応動作Ｂ処理後の報知強化処理を終了する。
【０１３８】
ステップｄ３では、制御手段１７は、対象の居住者が存在する部屋２８の宅内照明器具９０の明るさや色合いを制御して、友人知人関係の対応動作Ｂ処理後の報知強化処理を終了する。具体的には、制御手段１７は、対象の居住者が存在する部屋２８の宅内照明器具９０を、図６に示した友人知人関係来訪者応答情報２０ｂに含まれる照明コントロールパターン情報２３のうち、来訪者に対応した照明コントロールパターンの照明態様で制御して、友人知人関係の対応動作Ｂ処理後の報知強化処理を終了する。
【０１３９】
図１６は、業者関係の業者用対応動作Ｂ処理後の報知強化処理の処理手順を示すフローチャートである。業者関係の業者用対応動作Ｂ処理後の報知強化処理は、図１２に示したステップｂ６の業者用対応動作Ｂ処理実行が行われた後に実行される処理である。図１２に示したステップｂ６で説明した処理が実行された後、ステップｅ１に移る。図１６には、図１２に示したステップｂ６をステップｅ１として示している。
【０１４０】
図１６に示す報知強化処理の場合、図１２に示したステップｂ２では、制御手段１７は、来訪者識別手段２７によって識別された来訪者１２に関連付けられた居住者を、図５に示した業者関係来訪者応答情報２０ａに基づいて特定し、特定した居住者が住居１８内に存在するか否かを判定する。業者関係の来訪者１２の場合、来訪者１２に関連付けられる居住者は１人とは限らない。特定した居住者の少なくとも１人が住居１８内に存在するとき、ステップｂ３に進み、特定した居住者のすべてが住居１８内に存在しないとき、ステップｂ１４に進む。図１２に示したステップｂ３では、制御手段１７は、特定した居住者のうち在宅する居住者の存在位置が応答可能な位置であるか否かの判定を行う。以下、特定した居住者のうち在宅する居住者を、特定した在宅者という。特定した在宅者のうち少なくとも１人の存在位置が応答可能な位置であるとき、特定した在宅者のうち応対可能な位置である在宅者を、対象の居住者として、ステップｂ４に進む。特定した在宅者のすべての存在位置が応答可能な位置でないとき、ステップｂ９に進む。
【０１４１】
ステップｅ１では、制御手段１７は、図１２に示したステップｂ６の業者用対応動作Ｂ処理実行が行われる。すなわち、来訪者１２の類型に応じた対応が行われる。ステップｅ２では、制御手段１７は、対象の居住者が存在する部屋２８の宅内照明器具９０の通信機能が有効であるか否かを判定する。
【０１４２】
具体的には、制御手段１７は、対象の居住者が存在するすべての部屋２８を、居住者識別手段１１１の識別結果に基づいて特定し、さらに、特定したすべての部屋２８に設けられる宅内照明器具９０を、設定記憶部７８に記憶される部屋照明器具対応情報に基づいて特定する。そして、制御手段１７は、特定したすべての部屋２８の宅内照明器具９０との間で、宅内照明制御部８９によって通信を試行し、いずれかの部屋２８の宅内照明器具９０と通信することができたとき、対象の居住者が存在する部屋２８の宅内照明器具９０の通信機能が有効であると判定し、ステップｅ３に進む。特定したすべての部屋２８の宅内照明器具９０との間で、宅内照明制御部８９によって通信を試行し、いずれの部屋２８の宅内照明器具９０とも通信することができなかったとき、対象の居住者が存在する部屋２８の宅内照明器具９０の通信機能が有効でないと判定し、業者関係の業者用対応動作Ｂ処理後の報知強化処理を終了する。
【０１４３】
ステップｅ３では、制御手段１７は、対象の居住者が存在し、かつ通信機能が有効な部屋２８の宅内照明器具９０の明るさや色合いを制御して、業者関係の業者用対応動作Ｂ処理後の報知強化処理を終了する。具体的には、制御手段１７は、対象の居住者が存在するすべての部屋２８のうち、宅内照明器具９０と通信することができた部屋２８の宅内照明器具９０を、図５に示した業者関係来訪者応答情報２０ａに含まれる照明コントロールパターン情報２３のうち、来訪者に対応した照明コントロールパターンの照明態様で制御して、業者関係の業者用対応動作Ｂ処理後の報知強化処理を終了する。
【０１４４】
上述した実施形態では、来訪者に応じた照明態様で照明したが、来訪者だけでなく、住居１８の外部の明るさに応じて照明態様を変化させるようにしてもよい。たとえば、ソーラ情報受信部９３は、発電部である太陽光発電装置９７によって発電される発電量を、電力情報取得部９６ａおよび電力供給制御部９６ｂを介して取得することができるので、発電量に基づいて、住居１８の外部の明るさを検知することができる。制御手段１７は、検知した住居１８の外部の明るさに応じて、照明態様を変化させる。具体的には、来訪者と発電量とに応じた照明態様を、図５に示した業者関係来訪者応答情報２０ａまたは図６に示した友人知人関係来訪者応答情報２０ｂの照明コントロールパターン情報２３に設定しておく。発電量に応じた照明態様は、たとえば明るさの変化量、変化させる色合い、あるいは点滅周期を、発電量に応じて変化させる。
【０１４５】
また、各部屋２８の明るさを測定する測定手段を設け、測定手段によって測定された各部屋２８の明るさに応じて、部屋２８ごとに、照明態様について、明るさの変化量、変化させる色合い、あるいは点滅周期を変えるようにしてもよい。
【０１４６】
また、来訪者に応じて、照明態様を変化させてもよい。たとえば優先度の高い来訪者の場合、点滅周期を短くした照明態様、あるいは、明るさをより明るく変化させた照明態様とする。
【０１４７】
また、来訪者ごとに、異なる照明態様としてもよい。具体的には、来訪者ごとに、異なる照明態様となるように、図５に示した業者関係来訪者応答情報２０ａまたは図６に示した友人知人関係来訪者応答情報２０ｂの照明コントロールパターン情報２３に、照明コントロールパターンを設定しておく。
【０１４８】
このように、住居内検知手段１１は、部屋２８を含む住居１８の内部における人物の存在を検知する。応答情報記憶部１３は、住居１８を来訪する来訪者１２に対する、互いに異なる複数の応答内容を表す複数の応答情報を記憶する。出力手段１６は、来訪者１２に対し前記複数の応答情報のうちの１または複数の応答情報が表す１または複数の応答内容を住居１８の外部に出力する。押しボタン５４は、来訪者１２が来訪したことを検知する。宅内照明器具９０は、部屋２８を照明する。宅内照明制御部８９は、宅内照明器具９０による照明態様を制御する。制御手段１７は、押しボタン５４によって来訪者１２が来訪したことが検知されたとき、住居内検知手段１１による検知結果に基づいて、応答情報記憶部１３に記憶される複数の応答情報から１または複数の応答情報を選択し、選択された応答情報が表す応答内容を出力手段１６に出力させる。そして、宅内照明器具９０を予め定める照明態様で照明するように宅内照明制御部８９に制御させる。したがって、来訪者１２への応答内容を在宅している在宅者の状況に応じた応答内容とすることができ、さらに、来訪者１２があることをより確実に居住者に知らせることができる。
【０１４９】
さらに、住居内検知手段１１は、住居１８の内部において存在が検知された人物が応対可能な場所にいるか否かを判定する。そして、制御手段１７は、住居内検知手段１１によって、住居１８の内部において存在が検知された人物が応対可能な場所にいると判定されたとき、制御手段１７によって特定された部屋２８の宅内照明器具９０を予め定める照明態様で照明するように宅内照明制御部８９に制御させる。したがって、住居１８の内部において存在が検知された人物が応対可能な場所にいる場合にのみ、来訪者１２があることをより確実に居住者に知らせることができる。
【０１５０】
さらに、住居２８は、複数の部屋１８を含む。宅内照明器具９０は、部屋１８ごとに設けられる。制御手段１７は、住居内検知手段１１によって存在が検知された人物が存在する部屋１８を特定する。そして、制御手段１７は、制御手段１７によって特定された部屋１８の宅内照明器具９０を予め定める照明態様で照明するように宅内照明制御部８９に制御させる。したがって、人物が存在する部屋１８の宅内照明器具９０を予め定める照明態様で照明することができ、より確実に居住者に知らせることができる。
【０１５１】
さらに、来訪者撮像手段２６は、来訪者１２を撮像し、撮像した来訪者１２の画像を表す来訪者画像を取得する。来訪者識別手段２７は、来訪者撮像手段２６によって取得された来訪者画像を解析することによって、来訪者１２を識別する。記憶手段７９は、各来訪者１２に関連付けられる居住者を来訪者１２ごとに表わす来訪者応答情報２０を記憶する。そして、制御手段１７は、来訪者識別手段２７によって識別された来訪者１２に関連する居住者を、記憶手段７９に記憶される来訪者応答情報２０に基づいて特定し、特定した居住者のうち、住居内検知手段１１によって存在が検知された居住者が存在する部屋２８の宅内照明器具９０を予め定める照明態様で照明するように宅内照明制御部８９に制御させる。したがって、来訪者１２に関連付けられた居住者にのみ、来訪者１２があることをより確実に知らせることができる。
【０１５２】
さらに、太陽光発電装置９７は、太陽光による発電を行う。そして、前記予め定める照明態様は、太陽光発電装置９７による発電量に応じた照明態様である。したがって、住居１８の外部の明るさに応じて照明態様を変化させることができる。
【０１５３】
さらに、前記予め定める照明態様は、照明の点灯時の明るさを変化させた照明態様、照明の点灯時の色合いを変化させた照明態様、および照明の点滅時の点滅周期を変化させた照明態様のうちの少なくとも１つの照明態様またはこれらの照明態様を組み合わせた照明態様である。したがって、より分かり易い照明態様を用いることができる。
【符号の説明】
【０１５４】
１０  インターホン装置
１１  住居内検知手段
１２  来訪者
１３  応答情報記憶部
１６  出力手段
１７  制御手段
１８  住居
２１  応答情報
２２  屋内撮像部
２４  人物存在判定部
２６  来訪者撮像手段
２７  来訪者識別手段
２８  部屋
３２  カメラ
３３  廊下
３４  便所
３６  浴室
３８  流し台
３９  インターホン屋外機
４２  屋外カメラ
４４  屋外マイク
４６  屋外スピーカ
４７  送受信部
４８  屋外表示部
５１  玄関
５２  来訪者検出手段
５４  押しボタン
５６  屋外カメラ制御部
５７  照明制御部
５８  来訪者記憶部
６２  照明器具
６３  来訪者情報
６５  屋内機
６６  マイク
６８  ネットワーク通信部
６９  スピーカ
７２  屋内端末
７４  操作部
７６  音声制御部
７８  設定記憶部
７９  記憶手段
８１  通信端末
８２  データ通信無線制御部
８４  ＲＯＭ
８６  表示部
８９  宅内照明制御部
９０  宅内照明器具
１１１  居住者識別手段
１１２  居住者情報記憶部
１１４  報知手段
【図１】
2012085073.tif 000003
【図２】
2012085073.tif 000004
【図３】
2012085073.tif 000005
【図４】
2012085073.tif 000006
【図５】
2012085073.tif 000007
【図６】
2012085073.tif 000008
【図７】
2012085073.tif 000009
【図８】
2012085073.tif 000010
【図９】
2012085073.tif 000011
【図１０】
2012085073.tif 000012
【図１１】
2012085073.tif 000013
【図１２】
2012085073.tif 000014
【図１３】
2012085073.tif 000015
【図１４】
2012085073.tif 000016
【図１５】
2012085073.tif 000017
【図１６】
2012085073.tif 000018